(57)【特許請求の範囲】
【請求項１】
液透過性のトップシートと、液不透過性のバックシートと、前記トップシートと前記バックシートの間に配置され、液体を吸収し保持する吸収体とから少なくとも構成され、着用時には背側から腹側までの長手方向に背側領域、股下領域、腹側領域を有する吸収性本体と、
前記吸収体本体の幅方向の両側に設けられた左右一対のサイドフラップ部と、
前記各サイドフラップ部の少なくとも股下領域に、長手方向に伸長状態で設けられた一対の弾性部材とを備えた吸収性物品において、
股下領域における前記サイドフラップ部の前記吸収性本体と最も外側に位置する前記弾性部材との間には、幅方向に延伸された股下側延伸領域が設けられおり、
前記各股下側延伸領域は、股下領域での長手方向の中心位置の延伸領域部が前記各サイドフラップ部の長手方向両端の延伸領域部より引き延ばした際の幅寸法が大きくなるよう設けられたことを特徴とする吸収性物品。
【請求項２】
請求項１記載の吸収性物品であって、
前記各股下側延伸領域は、前記吸収性本体側縁と最も外側に位置する前記弾性部材の間の幅方向に二等分する中心線より前記吸収性本体側の領域に設けられたことを特徴とする吸収性物品。
【請求項３】
請求項１又は請求項２記載の吸収性物品であって、
前記各股下側延伸領域は、各サイドフラップ部の背側領域と腹側領域の少なくともいずれか一方に股下領域から延在して設けられたことを特徴とする吸収性物品。
【請求項４】
請求項１〜請求項３のいずれかに記載の吸収性物品であって、
前記一対のサイドフラップ部の背側領域と腹側領域の少なくとも一方から外側に張り出すように設けられたウエストフラップ部を有することを特徴とする吸収性物品。
【請求項５】
請求項１〜請求項４のいずれかに記載の吸収性物品であって、
前記各股下側延伸領域は、前記吸収性本体と重なる領域まで延在して設けられたことを特徴とする吸収性物品。
【請求項６】
請求項１〜請求項５のいずれかに記載の吸収性物品であって、
前記各股下側延伸領域は、装着時に外部から内部の排泄物が視認できる透明度を有することを特徴とする吸収性物品。
【請求項７】
請求項１〜請求項６のいずれかに記載の吸収性物品であって、
前記各股下側延伸領域は、前記サイドフラップ部の幅方向に沿って延伸量が小さい密部と延伸量が大きい粗部とが交互に設けられたことを特徴とする吸収性物品。
【請求項８】
請求項１〜請求項７のいずれかに記載の吸収性物品であって、
前記各股下側延伸領域は、１．５〜３．０倍の範囲で延伸されたことを特徴とする吸収性物品。
【発明の詳細な説明】
【技術分野】
【０００１】
本発明は、着用者の肌との間にいわゆるポケットが形成されるオムツ等の吸収性物品に関する。
【背景技術】
【０００２】
この種の従来例のオムツとしては、特許文献１に開示されたものがある。このオムツ１００は、図１１（ａ）に示すように、液透過性のトップシート１０１ａと、液不透過性のバックシート（図示せず）と、これら双方のシート１０１ａ，（図示せず）間に配置され、液体を吸収し保持する吸収体１０１ｃとから成る吸収性本体１０１を備えている。吸収性本体１０１は、着用時には背側から腹側までの長手方向に背側領域Ｓ１、股下領域Ｓ２、腹側領域Ｓ３を有し、着用者の股下を中心に背側から腹側を覆う。この吸収性本体１０１の幅方向の両側には、トップシート１０１ａとバックシート（図示せず）が延在されることによってサイドフラップ部１１０が設けられている。この各サイドフラップ部１１０の股下領域Ｓ２の外縁には、長手方向に沿って伸長状態で弾性部材１２０が設けられている。又、各サイドフラップ部１１０の腹側領域Ｓ３には、折り返し部１３０が設けられている。
【０００３】
この従来例のオムツ１００を着用者が着用すると、各サイドフラップ部１１０の外周が各弾性部材１２０の収縮によって着用者の足回りに密着すると共に、各サイドフラップ部１１０の股下領域Ｓ２の幅寸法が腹側領域Ｓ３の幅寸法に比べて大きいことから、着用者の股下側に空間、いわゆるポケットができる。このポケットによって着用者から排泄された尿、便等を横漏れすることなく確実に保持できる。
【０００４】
他の従来例のオムツ１５０としては、特許文献２に開示されたものがある。このオムツ１５０は、図１１（ｂ）に示すように、液透過性のトップシート１５１ａと、液不透過性のバックシート１５１ｂと、これら双方のシート１５１ａ，１５１ｂ間に配置され、液体を吸収し保持する吸収体１５１ｃとから成る吸収性本体１５１を備えている。吸収性本体１５１は、着用時には背側から腹側までの長手方向に背側領域Ｓ１、股下領域Ｓ２、腹側領域Ｓ３を有し、着用者の股下を中心に背側から腹側を覆う。この吸収性本体１５１の幅方向の両側には、伸長状態で一対の弾性部材１５２が設けられている。各弾性部材１５２は、股下領域Ｓ２で外側に膨らむように設けられている。これによって、一対の弾性部材１５２の間隔は、背側領域Ｓ１及び腹側領域Ｓ３で狭く、股下領域Ｓ２で広く設定されている。
【０００５】
この他の従来例のオムツ１５０を着用者が着用すると、吸収性本体１５１の股下領域Ｓ２の外周が各弾性部材１５２の収縮によって着用者の足回りに密着すると共に、吸収性本体１５１の股下領域Ｓ２では一対の弾性部材１５２間の間隔が広いことから、着用者の股下側に空間、いわゆるポケットができる。このポケットによって、前記従来例と同様に、着用者から排泄された尿、便等を横漏れすることなく確実に保持できる。
【特許文献１】特開昭６２−１９９８０２号公報（第６頁、図４、図５）
【特許文献２】特開平４−２４２６４５号公報（第８頁、図１、図２）
【発明の開示】
【発明が解決しようとする課題】
【０００６】
しかしながら、前記した２つの従来例では、着用時に股下領域Ｓ２にポケットを形成するために、ポケットを形成しないものに比べてオムツ１００，１５０の幅方向分だけ余分に資材が必要である。
【０００７】
又、前者の従来例では、各サイドフラップ部１１０に折り返し部１３０を設けるため、製造時の加工が面倒であり、製造コストが高くなるという問題がある。
【０００８】
後者の従来例では、一対の弾性部材１５２を曲線状に設ける必要があるため、製造時の加工が面倒であり、製造コストが高くなるという問題がある。
【０００９】
そこで、本発明は、着用者の股下側にいわゆるポケットを形成するものにあって、使用資材の低減化、製造時の加工の容易化、ひいては製造コストの低下を図ることができる吸収性物品を提供することを目的とする。
【課題を解決するための手段】
【００１０】
上記目的を達成する請求項１の発明は、液透過性のトップシートと、液不透過性のバックシートと、前記トップシートと前記バックシートの間に配置され、液体を吸収し保持する吸収体とから少なくとも構成され、着用時には背側から腹側までの長手方向に背側領域、股下領域、腹側領域を有する吸収性本体と、前記吸収体本体の幅方向の両側に設けられた左右一対のサイドフラップ部と、前記各サイドフラップ部の少なくとも股下領域に、長手方向に伸長状態で設けられた一対の弾性部材とを備えた吸収性物品において、股下領域における前記サイドフラップ部の前記吸収性本体と最も外側に位置する前記弾性部材との間には、幅方向に延伸された股下側延伸領域が設けられたことを特徴とする。
【００１１】
請求項２の発明は、請求項１記載の吸収性物品であって、前記各股下側延伸領域は、前記吸収性本体側縁と最も外側に位置する前記弾性部材の間の幅方向に二等分する中心線より前記吸収性本体側の領域に設けられたことを特徴とする。
【００１２】
請求項３の発明は、請求項１又は請求項２記載の吸収性物品であって、前記各股下側延伸領域は、各サイドフラップ部の背側領域と腹側領域の少なくともいずれか一方に股下領域から延在して設けられたことを特徴とする。
【００１３】
請求項４の発明は、請求項１〜請求項３のいずれかに記載の吸収性物品であって、前記一対のサイドフラップ部の背側領域と腹側領域の少なくとも一方から外側に張り出すように設けられたウエストフラップ部を有することを特徴とする。
【００１４】
請求項５の発明は、請求項１〜請求項４のいずれかに記載の吸収性物品であって、前記各股下側延伸領域は、前記吸収性本体と重なる領域まで延在して設けられたことを特徴とする。
【００１５】
請求項６の発明は、請求項１〜請求項５のいずれかに記載の吸収性物品であって、前記各股下側延伸領域は、装着時に外部から内部の排泄物が視認できる透明度を有することを特徴とする。
【００１６】
請求項７の発明は、請求項１〜記載６のいずれかに記載の吸収性物品であって、前記各股下側延伸領域は、股下領域での長手方向の中心位置の延伸領域部が前記各サイドフラップ部の長手方向両端の延伸領域部より引き延ばした際の幅寸法が大きくなるよう設けられたことを特徴とする。
【００１７】
請求項８の発明は、請求項１〜記載７のいずれかに記載の吸収性物品であって、前記各股下側延伸領域は、前記サイドフラップ部の幅方向に沿って延伸量が小さい密部と延伸量が大きい粗部とが交互に設けられたことを特徴とする。
【００１８】
請求項９の発明は、請求項１〜記載８のいずれかに記載の吸収性物品であって、前記各股下側延伸領域は、１．５〜３．０倍の範囲で延伸されたことを特徴とする。
【発明の効果】
【００１９】
本発明によれば、着用者が着用すると、各サイドフラップ部の外周が各弾性部材の収縮によって着用者の足回りに密着すると共に、各サイドフラップ部の股下領域の伸張可能な幅寸法が一対の股下側延伸領域によって背側領域や腹側領域のサイドフラップ部の幅寸法より大きいことから、着用者の股下領域にいわゆるポケットができる。各股下側延伸領域は、各サイドフラップ部の股下領域を幅方向に延伸させて設けたため、股下領域にいわゆるポケットを形成しないものと同じ幅の資材で形成できる。又、各サイドフラップ部に折り返しを設けることなく、各サイドフラップ部に弾性部材を曲線状に設けることなく、着用者の股下側にポケットを形成できる。以上より、使用資材の低減化、製造時の加工の容易化、ひいては製造コストの低下を図ることができる。
【００２０】
また、着用者の股下近くの足回りを覆う各サイドフラップ部の箇所が薄く柔らかい股下側延伸領域であるため、装着違和感が低い、着用者の足の運動に対する追従性が良い、吸収性本体に対して立ち上がり易い、各サイドフラップ部の外周を締め付け過ぎないでも足回りに密着させることができる等の利点がある。
【発明を実施するための最良の形態】
【００２１】
以下、本発明の実施の形態を図面に基づいて説明する。
【００２２】
（第１の実施形態）
図１〜図６は本発明の第１の実施形態を示し、図１はオムツの展開状態の平面図、図２は図１のＡ−Ａ線断面図、図３は図１のＢ−Ｂ線断面図、図４は着用状態の断面図、図５は延伸装置の要部断面図、図６（ａ）はサイドフラップ部の股下領域の中央を外側に引っ張る前の平面図、図６（ｂ）は一方のサイドフラップ部の股下領域の中央の端部を外側に引っ張った状態の平面図である。
【００２３】
図１〜図３に示すように、吸収性物品であるオムツ１Ａは、吸収性本体２と、この吸収性本体２の幅方向の両側に設けられた一対のサイドフラップ部１０と、この一対のサイドフラップ部１０の背側の幅方向の両端に設けられた一対の背側ウエストフラップ部２０と、一対のサイドフラップ部１０の腹側の幅方向の両端に設けられた一対の腹側ウエストフラップ部２１とを備えている。
【００２４】
吸収性本体２は、液透過性のトップシート３と、液不透過性のバックシート４と、トップシート３とバックシート４の間に配置され、液体を吸収し保持する吸収体５とから少なくとも構成され、着用時には背側から腹側までの長手方向に背側領域Ｓ１、股下領域Ｓ２、腹側領域Ｓ３を有して着用者の背側と股下側と腹側を被う。トップシート３は、その幅方向の両端部が吸収体５を包み込むように折り込まれている。このように折り込まれたトップシート３の箇所と吸収体５がバックシート４にホットメルト等の糊によって接合されている。トップシート３は、親水性不織布、織物、開口プラスチックフィルム、開口を有する疎水性不織布、ＳＭＳ１０ｇ／ｍ２等より形成される。バックシート４は、透湿又は非透湿性フィルム、このようなフィルムに不織布を張り合わせたシート等より形成される。吸収体５は、吸収性のパルプ及び高吸収性ポリマーを混合した液体吸収保持性を有する積層体である。
【００２５】
一対のサイドフラップ部１０は、吸収性本体２の幅方向の両側より延在されたバックシート４と、吸収性本体２の反対面よりバックシート４に重ね配置された液不透過性の外装シート１１とから構成されている。バックシート４と外装シート１１間はホットメルト等の糊で接合されている。外装シート１１は、バックシート４よりも幅方向の寸法が長く形成されている。
【００２６】
各サイドフラップ部１０の股下領域Ｓ２の全域とこれに連続する背側領域Ｓ１及び腹側領域Ｓ３の一部領域には、長手方向に伸張状態で４列の弾性部材１２ａ〜１２ｃが設けられている。外側３列の弾性部材１２ａ〜１２ｃは、バックシート４より長く形成された外装シート１１の両側部に設けられている。最も内側に位置する弾性部材１２ｄは、吸収性本体２の側縁と最も外側に位置する弾性部材１２ａのほぼ中心位置に配置され、外装シート１１とバックシート４に設けられている。各弾性部材１２ａ〜１２ｄは、例えばポリウレタン系弾性糸である。
【００２７】
各サイドフラップ部１０の股下領域Ｓ２で、且つ、吸収性本体２と最も外側に位置する弾性部材１２ａ（詳細には、外側から３列めの弾性部材１２ｃ）との間には、幅方向に延伸された股下側延伸領域１３が設けられている。各股下側延伸領域１３は、延伸加工によって他の領域より低坪量化された領域である。各股下側延伸領域１３は、サイドフラップ部１０の幅方向に沿って延伸量が小さい密部（符号を付さず）と延伸量が大きい粗部（符号を付さず）とが交互に設けられている。各股下側延伸領域１３は、延伸前と比較した場合に１．５〜３．０倍の範囲で延伸されている。
【００２８】
各股下側延伸領域１３は、装着時に外部から内部の排泄物が視認できる透明度を有する。つまり、各股下側延伸領域１３は外部から内部が透過できる透過率である。光の透過率は、延伸加工によって３％以上上昇し、光の透過率が６１％以上（ＪＩＳ規格のＫ７１０５に準じて測定）であれば、外部から内部の排泄物を視認できる。
【００２９】
又、本実施形態の各股下側延伸領域１３は、吸収性本体２と最も外側に位置する弾性部材１２ａの間のほぼ全領域に亘ってサイドフラップ部１０の幅方向に設けられている。各股下側延伸領域１３は、股下領域Ｓ２の全範囲に亘ってサイドフラップ部１０の長手方向に設けられ、この実施形態では背側領域Ｓ１や腹側領域Ｓ３にまで延在されていない。股下側延伸領域１３の具体的な作製方法については、下記に詳述する。
【００３０】
ウエストフラップ部は、一対の背側ウエストフラップ部２０と一対の腹側ウエストフラップ部２１とから構成されている。一対の背側ウエストフラップ部２０は、一対のサイドフラップ部１０の背側領域Ｓ１に一端側が固定されている。各背側ウエストフラップ部２０の先端側には、係止部２２が設けられている。各係止部２２は、機械的な係止力で係止する面ファスナーや粘着力によって係止する粘着テープである。係止部２２を面ファスナーとする場合には、腹側ウエストフラップ部２１の素材は少なくとも表面が不織布であるシート素材とされる。
【００３１】
次に、股下側延伸領域１３の作製方法を簡単に説明する。サイドフラップ部１０は、そのバックシート４が非通気性フィルム２３．５ｇ／ｍ２であり、外装シート１１がＳＭＳ１３ｇ／ｍ２であり、これら双方のシート４，１１をスパイラルＨＭＡ径１５ｍｍ・５ｇ／ｍ２で張り合わせたものである。
【００３２】
延伸装置３０は、図５に示すように、互いに対向し、且つ、噛み合い可能な一対の延伸刃列部３１を有する。この各延伸刃列部３１は、刃の深さが２．５ｍｍ、一対の刃のピッチ間が１．２５ｍｍ、刃数が１７本であり、延伸刃列部３１の設定温度を１００℃として延伸加工を施した。このようにして延伸することによって、延伸倍率が１．８倍に延伸できる。
【００３３】
このような延伸装置３０で延伸することによって、股下側延伸領域１３には延伸量が小さい密部と延伸量が大きい粗部とがサイドフラップ部１０の幅方向に交互に設けられる。
【００３４】
延伸量は、上記した緒条件を適宜変更することによって可変できる。サイドフラップ部１０の股下領域Ｓ２の中央を外側に引っ張る前（図６（ａ）の幅寸法をＷ１とすると、一方のサイドフラップ部１０の股下領域Ｓ２の中央の端部を外側に引っ張った状態（図６（ｂ）に示す）の幅寸法をＷ２とすると、Ｗ２がＷ１に対して延伸割合（１．５〜３．０倍）だけ伸張可能となる。つまり、各サイドフラップ部１０の股下領域Ｓ２は、背側領域Ｓ１や腹側領域Ｓ３の幅寸法に比べて延伸割合（１．５〜３．０倍）分だけ最大で伸張可能となる。
【００３５】
又、外部から内部が透過する透過率は、サイドフラップ部１０のシート素材の種類によって異なるため、シート素材の種類によって延伸量を調整し、外部から内部が透過する透過率を得る。
【００３６】
上記構成のオムツ１Ａを着用者が着用すると、図４に示すように、各サイドフラップ部１０の外周が各弾性部材１２ａａ，１２ｂの収縮によって着用者の足回りに密着すると共に、各サイドフラップ部１０の股下領域Ｓ２の伸張可能な幅寸法が一対の股下側延伸領域１３によって背側領域Ｓ１や腹側領域Ｓ３のサイドフラップ部１０の幅寸法より大きいことから、着用者の股下側に空間、いわゆるポケットＰができる。各股下側延伸領域１３は、各サイドフラップ部１０の股下領域Ｓ２を幅方向に延伸させて設けたため、股下領域Ｓ２にいわゆるポケットＰを形成しないものと同じ幅の資材で形成できる。
【００３７】
また、従来例のように、各サイドフラップ部１０に折り返しを設けることなく、又、他の従来例のように、各サイドフラップ部１０に弾性部材１２を曲線状に設けることなく、着用者の股下側にポケットＰを形成できる。以上より、使用資材の低減化、製造時の加工の容易化、ひいては製造コストの低下を図ることができる。
【００３８】
また、着用者の股下近くの足回りを覆う各サイドフラップ部１０の箇所が薄く柔らかい股下側延伸領域１３であるため、装着違和感が低い、着用者の足の運動に対する追従性が良い、吸収性本体２に対して立ち上がり易い、各サイドフラップ部１０の外周を締め付け過ぎないでも足回りに密着させることができる等の利点がある。
【００３９】
この実施形態では、各股下側延伸領域１３は、吸収性本体２側縁と最も外側に位置する弾性部材１２ａの間の幅方向に二等分する中心線より吸収性本体２側の領域にも設けられているため、次のような利点もある。オムツ１Ａを着用した場合には、剛性差のある位置、つまり、吸収性本体２とサイドフラップ部の１０境界位置より曲がり始めるが、この実施形態ではこの箇所が柔軟性のある股下側延伸領域１３とされているため立ち上がり特性が良く、いわゆるポケットＰが形成され易い。
【００４０】
この実施形態では、一対のサイドフラップ部１０の背側領域Ｓ１と腹側領域Ｓ３の両側より張り出すように設けられた背側及び腹側ウエストフラップ部２０，２１を有する。そして、各股下側延伸領域１３は股下領域Ｓ２の範囲内にのみ設けられている。従って、オムツ１Ａを背側及び腹側ウエストフラップ部２０，２１を利用して着用する際に、背側及び腹側ウエストフラップ部２０，２１の締め付け力が股下側延伸領域１３に直接に作用しないため、オムツ１Ａの股下領域Ｓ２のポケット形成に支障がなく、又、オムツ１Ａの強度低下も招来しない。
【００４１】
この実施形態では、各股下側延伸領域１３は、装着時に外部から内部の排泄物が視認できる透明度を有するので、股下側延伸領域１３を通してオムツ１Ａの内部の排泄物の有無を外側から確認できるため、交換時期等を容易に判断できる。
【００４２】
この実施形態では、各股下側延伸領域１３は、サイドフラップ部１０の幅方向に沿って延伸量が小さい密部と延伸量が大きい粗部とが交互に設けられている。従って、オムツ１Ａの製造過程では、股下側延伸領域１３が密部と粗部によって交互に折り畳まれるため、各サイドフラップ部１０の外縁が突出せずに直線状となるため、製造過程、製品パッケージング過程等での取り扱い性が良い。
【００４３】
この実施形態では、各股下側延伸領域１３は、１．５〜３．０倍の範囲で延伸されている。ここで、延伸量が１．５倍未満であると、サイドフラップ部１０の立ち上がり寸法が小さくて弾性部材１２が肌に密着しない恐れがあり、又、延伸量が３．０倍を越すと、サイドフラップ部１０の素材に対して延伸によるダメージが大きくて破れや穴あき等の資材破損が発生する恐れがある。そのため、延伸量を１．５〜３．０倍の範囲にすれば、オムツ１Ａの股下領域Ｓ２に空間、いわゆるポケットを資材破損の恐れもなく確実に形成できる。
【００４４】
（第１の実施形態の各変形例）
前記第１の実施形態では、サイドフラップ部１０は、外装シート１１とバックシート４の２層から構成されているが、各サイドフラップ部１０をバックシート４の１層でのみ構成しても良く、外装シート１１とバックシート４とトップシート３の３層で構成しても良い。外装シート１１の１層で構成すれば、外装シート１１の使用量を削減できる。外装シート１１とバックシート４とトップシート３の３層で構成すれば、各サイドフラップ部１０の股下側延伸領域１３の強度を強くできる。
【００４５】
又、バックシート４として、股下側延伸領域１３に相当する箇所４ａとそれ以外の箇所４ｂでは異なるシート素材から成るものを使用しても良い。股下側延伸領域Ｓ２の箇所では、延伸加工に適したシート素材を使用し、その以外の箇所では、吸収性本体２のバックシートとして適したシート素材を使用すれば、延伸加工性と液不透過性の両方に優れたバックシート４となる。
【００４６】
（第２の実施形態）
図７は本発明の第２の実施形態に係るオムツの断面図である。
【００４７】
図７に示すように、この第２の実施形態に係るオムツ１Ｂは、前記第１の実施形態に比べて、吸収性本体２の構成と各サイドフラップ部１０の股下側延伸領域１３ａの構成が異なる。つまり、吸収性本体２のトップシート３とバックシート４は、幅方向の中央箇所のみが接合部６によって接合され、幅方向の両端部では接合されていない。そして、各股下側延伸領域１３ａは、吸収性本体２と重なる領域（接合されていない箇所）まで延在して設けられている。
【００４８】
他の構成は、前記第１の実施形態と同一であるため、重複説明を省略すると共に図面の同一構成箇所には同一符号を付して明確化を図る。
【００４９】
この実施形態では、各股下側延伸領域１３ａは、吸収性本体２と重なる領域まで延在して設けられているので、股下側延伸領域１３ａの幅寸法を大きく取ることができるため、オムツ１Ｄの股下側に形成される空間、いわゆるポケットの高さを高くできる。
【００５０】
（第３の実施形態）
図８は本発明の第３の実施形態に係るオムツの断面図である。
【００５１】
図８に示すように、この第３の実施形態に係るオムツ１Ｃは、前記第１の実施形態に比べて、各サイドフラップ部１０の構成のみが異なる。各サイドフラップ部１０は、サイドフラップ部１０の幅方向の外側で内側フラップ部１０ａと外側フラップ部１０ｂの２つに分岐されている。内側フラップ部１０ａには、肌触りの良いシート素材が使用されている。内側フラップ部１０ａと外側フラップ部１０ｂの双方の先端部には、伸張状態で弾性部材１２ａ，１２ｂ，１２ｃ，１２ｅがそれぞれ設けられている。つまり、着用時には、足回りに２重にサイドフラップ部１０が密着するため、横漏れをより確実に防止できる。内側フラップ部１０ａが肌触りの良いシート素材であるため。肌触り性も良い。
【００５２】
他の構成は、前記第１の実施形態と同一であるため、重複説明を省略すると共に図面の同一構成箇所には同一符号を付して明確化を図る。
【００５３】
（第３の実施形態の変形例）
第３の実施形態では、内側フラップ部１０ａと外側フラップ部１０ｂの双方の先端部に弾性部材１２ａ，１２ｂ，１２ｃ，１２ｅが設けられているが、内側フラップ部１０ａの先端部にのみ伸張状態で弾性部材を設けても良い。いわゆる内倒しの立体ギャザー構成である。
【００５４】
（第４の実施形態）
図９は本発明の第４の実施形態に係るオムツの展開状態の平面図である。
【００５５】
図９に示すように、この第４の実施形態に係るオムツ１Ｄは、前記第１の実施形態と比較するに、各股下側延伸領域１３ｂの構成のみが異なる。つまり、各股下側延伸領域１３ｂは、股下領域Ｓ２での長手方向の中心位置の延伸領域部が各サイドフラップ部１０の長手方向両端の延伸領域部より引き延ばした際の幅寸法が大きくなるよう設けられている。具体的には、股下側延伸領域１３ｂは、長手方向にわたって延伸加工が施された幅寸法が異なり、長手方向の中心位置の延伸領域部の幅寸法が大きく、長手方向両端の延伸領域部の幅寸法が小さく設定されている。これによって、長手方向の中心位置の延伸領域部が長手方向両端の延伸領域部より引き延ばした際（着用時）の幅寸法が大きく設けられている。
【００５６】
股下側延伸領域１３ｂの端部は、股下側延伸領域１３ｂでない箇所に拘束されているため端部での立ち上がり寸法が小さく、中心部で最も立ち上がり寸法が大きいポケット形状となるため、ポケットを形成するに際して無駄のない股下側延伸領域１３ｂとすることができる。
【００５７】
また、股下側延伸領域１３ｂは、長手方向にたわって延伸加工が施された幅寸法を同じとし、単位長さ当たりの延伸量を異ならせることによって、長手方向の中心位置の延伸領域部が長手方向両端の延伸領域部より引き延ばした際（着用時）の幅寸法を大きくなるよう設けても良い。
【００５８】
（第５の実施形態）
図１０は本発明の第５の実施形態に係るオムツの断面図である。
【００５９】
図１０に示すように、この第５の実施形態に係るオムツ１Ｅは、前記第１の実施形態に比べて、一対の股下側延伸領域１３Ａの構成のみが異なる。各股下側延伸領域１３Ａは、各サイドフラップ部１０の股下領域Ｓ２のみならず背側領域Ｓ１と腹側領域Ｓ３に共に延在して設けられている。但し、股下側延伸領域１３Ａの背側の端部及び腹側の端部は、サイドフラップ部１０の背側の端縁及び腹側の端縁にまで達していない。
【００６０】
この実施形態によれば、オムツ１Ｋの内部に形成される空間、いわゆるポケットが股下領域Ｓ２の他に背側領域Ｓ１及び腹側領域Ｓ３にも形成されるため、排泄物を一時的に多量に保持でき、排泄物の横漏れをより確実に防止できる。特に、便と尿の双方の横漏れ防止に有効である。
【００６１】
（第５の実施形態の各変形例）
第５の実施形態の変形例としては、各股下側延伸領域１３Ａを、各サイドフラップ部１０の股下領域Ｓ２より背側領域Ｓ１にのみ延在して設けたものが考えられる。この変形例によれば、オムツの内部に形成される空間、いわゆるポケットが股下領域Ｓ２の他に背側領域Ｓ１にも形成されるため、特に、便の横漏れ防止に有効である。
【００６２】
第５の実施形態の他の変形例としては、各股下側延伸領域１３Ａを、各サイドフラップ部１０の股下領域Ｓ２より腹側領域Ｓ３にのみ延在して設けたものが考えられる。この他の変形例によれば、オムツの内部に形成される空間、いわゆるポケットが股下領域Ｓ２の他に腹側領域Ｓ３にも形成されるため、特に、尿の横漏れ防止に有効である。
【００６３】
（その他）
各実施形態では、各サイドフラップ部１０に４条の弾性部材１２ａ〜１２ｄが設けられているが、サイドフラップ部１０の側端部に１列又は２列だけ設けても良く、弾性部材の本数及び配置位置は適宜変更可能である。
【００６４】
なお、各実施形態では、本発明をオープンタイプのオムツに適用した場合を示したが、パンツタイプのオムツにも同様に適用できる。又、本発明は、オムツ以外の吸収性物品にも適用可能である。
【図面の簡単な説明】
【００６５】
【図１】本発明の第１の実施形態を示し、オムツの展開状態の平面図である。
【図２】本発明の第１の実施形態を示し、図１のＡ−Ａ線断面図である。
【図３】本発明の第１の実施形態を示し、図１のＢ−Ｂ線断面図である。
【図４】本発明の第１の実施形態を示し、着用時の図１のＢ−Ｂ線に沿う断面図である。
【図５】本発明の第１の実施形態を示し、延伸装置の要部断面図である。
【図６】本発明の第１の実施形態を示し、（ａ）はサイドフラップ部の股下領域の中央を外側に引っ張る前の平面図、（ｂ）は一方のサイドフラップ部の股下領域の中央の端部を外側に引っ張った状態の平面図である。
【図７】本発明の第２の実施形態に係るオムツの断面図である。
【図８】本発明の第３の実施形態に係るオムツの断面図である。
【図９】本発明の第４の実施形態に係るオムツの展開状態の平面図である。
【図１０】本発明の第５の実施形態に係るオムツの展開状態の平面図である。
【図１１】（ａ）は従来例のオムツの斜視図、（ｂ）は他の従来例のオムツの展開時の平面図である。
【符号の説明】
【００６６】
１Ａ〜１Ｅ  オムツ（吸収性物品）
２  吸収性本体
３  トップシート
４  バックシート
５  吸収体
１０  サイドフラップ部
１２ａ，１２ｂ，１２ｃ，１２ｄ，１２ｅ  弾性部材
１３，１３ａ，１３ｂ，１３Ａ  股下側延伸領域
２０  背側ウエストフラップ部（ウエストフラップ部）
２１  腹側ウエストフラップ部（ウエストフラップ部）
【図１】
0005130075.tif 000002
【図２】
0005130075.tif 000003
【図３】
0005130075.tif 000004
【図４】
0005130075.tif 000005
【図５】
0005130075.tif 000006
【図６】
0005130075.tif 000007
【図７】
0005130075.tif 000008
【図８】
0005130075.tif 000009
【図９】
0005130075.tif 000010
【図１０】
0005130075.tif 000011
【図１１】
0005130075.tif 000012